(57)【要約】【課題】高圧放電ランプの外管保護機構として、金属線が導電体に接触することを回避することができる技術を提供する。【解決手段】高圧放電ランプの発光管の軸線方向の両端は、それぞれ直径方向に延びる発光管支持板によって支持され、該発光管支持板の両端はフレームに固定され、透光性スリーブの両端は、それぞれ帯状のスリーブ支持板によって支持され、該スリーブ支持板の両端はフレームに固定され、前記発光管支持板の端部と前記スリーブ支持板の端部の少なくとも一方は、前記フレームより半径方向外方に突出する突起を有し、前記金属線の両端のうち、口金側の端部は、前記突起に係合してから、前記フレームの固定点に固定されている。【選択図】図６
2014067663.tif 000002
【特許請求の範囲】
【請求項１】
１対の電極を内包する発光管と、該発光管を囲む円筒状の透光性スリーブと、該透光性スリーブの外側に軸線方向に沿って延びるフレームと、前記透光性スリーブと前記フレームの外側面に接触するように螺旋状に巻かれた金属線と、前記発光管と前記透光性スリーブと前記フレームを収納する透光性外管と、を有する高圧放電ランプにおいて、
前記発光管の軸線方向の両端は、それぞれ直径方向に延びる発光管支持板によって支持され、該発光管支持板の両端は前記フレームに固定され、前記透光性スリーブの両端は、それぞれ帯状のスリーブ支持板によって支持され、該スリーブ支持板の両端は前記フレームに固定され、
前記発光管支持板の端部と前記スリーブ支持板の端部の少なくとも一方は、前記フレームより半径方向外方に突出する突起を有し、
前記金属線の両端のうち、口金側の端部は、前記突起に係合してから、前記フレームの固定点に固定されていることを特徴とする高圧放電ランプ。
【請求項２】
請求項１記載の高圧放電ランプにおいて、
前記金属線の口金側の端部は、前記スリーブ支持板の突起と前記発光管支持板の突起の間を通り、前記発光管支持板の突起に係合してから、前記フレームの固定点に固定されていることを特徴とする高圧放電ランプ。
【請求項３】
請求項１又は２記載の高圧放電ランプにおいて、
前記金属線の口金側の端部は、前記突起の周囲を少なくとも半周巻かれてから、前記フレームの固定点に固定されていることを特徴とする高圧放電ランプ。
【請求項４】
請求項１〜３のいずれか１記載の高圧放電ランプにおいて、
前記金属線の口金側の端部は、前記突起に形成された切欠きに係合してから、前記フレームの固定点に固定されていることを特徴とする高圧放電ランプ。
【請求項５】
請求項１〜４のいずれか１項記載の高圧放電ランプにおいて、
前記発光管の一方の電極は、給電線保護スリーブによって覆われた給電線が接続されており、前記給電線保護スリーブによって覆われた給電線は、前記金属線の外側に配置されていることを特徴とする高圧放電ランプ。
【請求項６】
請求項１〜５のいずれか１項記載の高圧放電ランプにおいて、
前記金属線は螺旋状に４〜８回巻かれており、前記金属線の螺旋のピッチは、８±２ｍｍであることを特徴とする高圧放電ランプ。
【請求項７】
請求項１〜６のいずれか１記載の高圧放電ランプにおいて、
前記金属線は硬質モリブデン線であり、前記金属線の両端は前記フレームに溶接により固定されていることを特徴とする高圧放電ランプ。
【発明の詳細な説明】
【技術分野】
【０００１】
本発明は、高圧放電ランプに関し、特に、透光外管の保護構造に関する。
【背景技術】
【０００２】
高圧放電ランプは、発光管とそれを覆う透明な外管を有する。高圧放電ランプは、高輝度且つ高効率である特徴を有するが、点灯時に発光管の内部圧力が高くなるため、発光管が破裂する可能性がある。そこで、高圧放電ランプでは、発光管が破裂しても外管が破裂しないように、外管を保護する外管保護機構又は外管破裂防止機構が設けられている。
【０００３】
外管保護機構として、発光管を透光性スリーブで覆い、更に、ワイヤで巻く方法が知られている。特許文献１には、フレーム部材と透光性スリーブに対して押圧力が加わるように金属線を巻きつける構造が記載されている。特許文献２には、フレーム部材と透光性スリーブに対して押圧力が加わるように金属線を巻きつけ、更に、その両端をフレーム部材に溶接した構造が記載されている。特許文献３には、スリーブを囲む螺旋形ワイヤの例が記載されている。特許文献４には、発光管の電極に給電ワイヤを接続した構造のセラミックメタルハライドランプが記載されている。
【先行技術文献】
【特許文献】
【０００４】
【特許文献１】特許4431981号
【特許文献２】特許4462425号
【特許文献３】特表2002−527860
【特許文献４】特開2011-70869号公報
【発明の概要】
【発明が解決しようとする課題】
【０００５】
石英ガラス製の発光管を採用したメタルハライドランプでは、一般にセラミックメタルハライドランプより発光管容積が大きく、発光部長さも長くなることが多い。そこで外管保護機構の効果を保証するために、金属線の巻き数を増加させることが行われている。
【０００６】
しかしながら、金属線の巻き数を増加させると、螺旋状に巻きつけた金属線の端部を透光性スリーブの外側に配置する必要がある。この場合、特に、金属線の端部が導電体に接触することを回避する必要がある。例えば、従来の高圧放電ランプの外管保護機構では、金属線は、給電線保護スリーブ、透光性スリーブ及びフレームの外側面に沿って、螺旋状に巻かれている。その場合、給電線保護スリーブが割れると、金属線が緩み、始動装置の導電体に接触する可能性がある。
【０００７】
本発明の目的は、高圧放電ランプの外管保護機構として、金属線が導電体に接触することを回避することができる技術を提供することにある。
【課題を解決するための手段】
【０００８】
本発明によると、高圧放電ランプは、１対の電極を内包する発光管と、該発光管を囲む円筒状の透光性スリーブと、該透光性スリーブの外側に軸線方向に沿って延びるフレームと、前記透光性スリーブと前記フレームの外側面に接触するように螺旋状に巻かれた金属線と、前記発光管と前記透光性スリーブと前記フレームを収納する透光性外管と、を有する。
【０００９】
前記発光管の軸線方向の両端は、それぞれ直径方向に延びる発光管支持板によって支持され、該発光管支持板の両端は前記フレームに固定され、前記透光性スリーブの両端は、それぞれ帯状のスリーブ支持板によって支持され、該スリーブ支持板の両端は前記フレームに固定され、前記発光管支持板の端部と前記スリーブ支持板の端部の少なくとも一方は、前記フレームより半径方向外方に突出する突起を有し、
前記金属線の両端のうち、口金側の端部は、前記突起に係合してから、前記フレームの固定点に固定されてよい。
【００１０】
本発明の実施の形態によると前記金属線の口金側の端部は、前記スリーブ支持板の突起と前記発光管支持板の突起の間を通り、前記発光管支持板の突起に係合してから、前記フレームの固定点に固定されてよい。
【００１１】
本発明の実施の形態によると前記金属線の口金側の端部は、前記突起の周囲を少なくとも半周巻かれてから、前記フレームの固定点に固定されてよい。
【００１２】
本発明の実施の形態によると前記金属線の口金側の端部は、前記突起に形成された切欠きに係合してから、前記フレームの固定点に固定されてよい。
【００１３】
本発明の実施の形態によると、前記発光管の一方の電極は、給電線保護スリーブによって覆われた給電線が接続されており、前記給電線保護スリーブによって覆われた給電線は、前記金属線の外側に配置されてよい。
【００１４】
本発明の実施の形態によると、前記金属線は螺旋状に４〜８回巻かれており、前記金属線の螺旋のピッチは、８±２ｍｍであってよい。
【００１５】
本発明の実施の形態によると、前記金属線は硬質モリブデン線であり、前記金属線の両端は前記フレームに溶接により固定されてよい。
【発明の効果】
【００１６】
本発明によれば、高圧放電ランプの外管保護機構として、金属線が導電体に接触することを回避することができる技術を提供することができる。
【図面の簡単な説明】
【００１７】
【図１】図１は、本発明に係る高圧放電ランプの例を説明する図である。
【図２】図２は、本発明に係る高圧放電ランプの断面構成を示す図である。
【図３Ａ】図３Ａは、本発明に係る高圧放電ランプの内部構造の例を説明する平面図である。
【図３Ｂ】図３Ｂは、本発明に係る高圧放電ランプの内部構造の例を説明する立面面図である。
【図４】図４は、本発明に係る高圧放電ランプのフレームと金属線の端部の固定部分の構造の例を説明する拡大図である。
【図５】図５は、発光管及び発光管支持板の構造と、フレームにおける金属線の固定点付近の構造を説明する図である。
【図６】図６は、透光性スリーブとフレームの外側に巻かれた金属線の端部付近の構造を説明する図である。
【図７Ａ】図７Ａは、金属線の口金側の端部の係合構造の例を説明する図である。
【図７Ｂ】図７Ｂは、金属線の口金側の端部の係合構造の例を説明する図である。
【図８Ａ】図８Ａは、金属線の口金側の端部の係合構造の例を説明する図である。
【図８Ｂ】図８Ｂは、金属線の口金側の端部の係合構造の例を説明する図である。
【発明を実施するための形態】
【００１８】
以下、本発明に係る高圧放電ランプの実施形態に関して、添付の図面を参照しながら詳細に説明する。なお、図中、同じ要素に対しては同じ参照符号を付して、重複した説明を省略する。
【００１９】
図１を参照して本発明に係る高圧放電ランプの例を説明する。高圧放電ランプは、透光性外管７とその内部に収容された発光管１を有する。外管７の端部には口金８が装着され、口金８にはステム２が装着されている。外管７内は高真空状態にて保持されている。発光管１内には、数種の金属ハロゲン化物と封入密度約６．０ｍｇ/ｃｍ３の水銀が封入されている。
【００２０】
発光管１の周囲は、円筒状の透光性スリーブ６によって囲まれている。透光性スリーブ６の両端は、支持板５ａ、５ｂによって支持されている。発光管１の両端は、支持板５ａ、５ｂの支持穴に固定されている。透光性スリーブ６及び支持板５ａ、５ｂは、フレーム３に支持されている。発光管１には１対の電極１ａおよび１ｂが内包されている。口金側の電極１ｂは、図示しない発光管封入線を介し、口金側ニッケル線１４ｂに接続され、更に、口金側リード線１０に電気的に接続され、ステム２の一方の封入線に接続されている。他方の電極１ａは、同様に図示しない他方の発光管封入線を介し、ニッケル線１４ａに接続され、更に、フレーム３に電気的に接続され、ステム２の他方の封入線に接続されている。
【００２１】
図示のように、金属線１２が、フレーム３および透光性スリーブ６の外側面に沿って巻かれている。図示の例では、金属線１２は、７回巻き付けられている。金属線１２は、例えば、線径０．２５ｍｍの硬質モリブデン線であってよい。フレーム３上の固定点１２ａ、１２ｂにおいて、金属線１２の両端部がフレーム３に溶接され固定されている。
【００２２】
外管保護機構は透光性スリーブ６と金属線１２を含む。本実施形態では、フレーム３の固定点１２ｂの近くに、金属線１２の口金側の端部を係合させるための係合機構が形成されているが、それについては、後に詳細に説明する。
【００２３】
図２は、図１の高圧放電ランプの断面構成を示す。ここでは、金属線１２が、フレーム３および透光性スリーブ６の外側面に沿って巻かれている状態を示す。発光管１を囲むように円筒状の透光性スリーブ６が設けられている。フレーム３は、透光性スリーブ６の直径方向両側に配置されている。金属線１２は、フレーム３の外側面に接触し、更に、透光性スリーブ６の外側面に接触するように巻かれている。
【００２４】
図３Ａ及び図３Ｂを参照して、本実施形態による高圧放電ランプの外管保護構造を説明する。図３Ａ及び図３Ｂは、高圧放電ランプの外管内に設けられる内部構造の平面構成及び立面構成を示す。透光性スリーブ６は、発光管１の周囲を囲んで配置されている。透光性スリーブ６の両端は、帯状のスリーブ支持板１７、１８が巻かれている。スリーブ支持板は、鉄ニッケル合金、モネル（Monel）、ステンレス鋼等の合金によって形成されてよい。発光管１の両端は、発光管支持板１５、１６によって支持されている。発光管支持板は、鉄ニッケル合金、モネル（Monel）、ステンレス鋼等の合金によって形成されてよい。発光管１は円筒状部分とその両側の板状部からなり、石英ガラス等によって形成される。発光管１と発光管支持板１５、１６の構造は後に図５を参照して説明する。
【００２５】
スリーブ支持板１７、１８及び発光管支持板１５、１６はフレーム３によって支持されている。フレーム３の両端には、マウント支持板３１、３２が装着されている。口金側のマウント支持板３１はステム２によって支持されている。他方のマウント支持板３２にはゲッタ２９が装着されている。
【００２６】
発光管１内には１対の電極１ａ、１ｂ（図３Ｂ）が設けられている。口金側の電極１ｂは、支持柱４（図３Ａ）を介してステム２の一方のリード線に電気的に接続されている。他方の電極１ａには、給電線２０が接続されている。給電線２０は給電線保護スリーブ２１によって覆われている。給電線２０の他方の端部は支持柱４（図３Ａ）に接続されている。発光管１とマウント支持板３１の間に始動装置が設けられている。始動装置は、図示のように、バイメタルユニット２２、炭素被膜固定抵抗２６、２７、始動器２５等を有し、支持柱４に接続されている。始動装置は既知であり、その機能の説明は、ここでは省略する。始動装置については、例えば、特開２０１０−３４１４号公報等を参照されたい。始動装置とステム２の間には遮熱板３０が設けられている。
【００２７】
金属線１２が、フレーム３及び透光性スリーブ６の外側面に沿って螺旋状に巻かれている。図示の例では、金属線１２は、７回巻き付けられている。尚、金属線１２は、必ずしも７回巻かれる必要はなく、例えば３〜８回巻かれてもよい。給電線保護スリーブ２１は、金属線１２の外側に配置されている。
【００２８】
所定の外管保護機能を確保するためには、金属線１２のピッチは所定の寸法以下にする必要がある。尚、金属線１２のピッチとは、軸線方向に沿って測定した隣接する巻線の間隔であり、８±２ｍｍ程度が好ましい。金属線１２の巻き数は、金属線１２のピッチと透光性スリーブ６の軸線方向の寸法によってきまる。金属線１２は、例えば、線径０．２５ｍｍの硬質モリブデン線であってよい。
【００２９】
フレーム３上の固定点１２ａ、１２ｂにおいて、金属線１２の両端部がフレーム３に溶接され固定されている。固定点１２ａ、１２ｂは、スリーブ支持板１７、１８及び発光管支持板１５、１６の軸線方向外側に配置されている。
【００３０】
図４は、金属線１２の両端の固定点１２ａ、１２ｂのうち、口金側の固定点１２ｂの周囲を拡大して示したものである。スリーブ支持板１７及び発光管支持板１５の上端部はフレーム３に装着されている。金属線１２の端部は、スリーブ支持板１７と発光管支持板１５の間を通り、フレーム３の上を通過し、発光管支持板１５の周囲に沿って延び、再び、フレーム３の上に戻り、そこで溶接等により固定される。
【００３１】
図５を参照して、発光管１及び発光管支持板１５、１６の構造と、フレーム３における金属線１２の固定点１２ｂ付近の構造を説明する。図５は、説明の都合上、発光管１及び発光管支持板１５、１６と、フレーム３と、金属線１２の固定点１２ｂ付近の端部のみを示し、それ以外の構成の図示を省略している。
【００３２】
発光管１は中央の円筒状部分１０１とその両側に延びる板状部分１０２、１０３からなり、石英ガラス等によって一体的に製造される。発光管１の両側には端子１０４、１０５が延びている。
【００３３】
発光管１の板状部分１０２、１０３には、それぞれ、発光管支持板１５、１６が装着されている。２つの発光管支持板１５、１６の構造は同一であってよい。ここでは、一方の発光管支持板１５の構造を説明する。発光管支持板１５は、１枚の帯状の板状部材を折り曲げ、その間に発光管１の板状部分１０３を挟んで両端を接合することによって形成されてよい。発光管支持板１５の両端は、フレーム３に溶接等により固定される。
【００３４】
金属線１２の口金側の端部は、図示のように、発光管支持板１５の周囲に沿って延び、フレーム３の上の固定点１２ｂにて、溶接等により固定される。
【００３５】
図６を参照して、透光性スリーブ６とフレーム３の外側に巻かれた金属線１２の構造を説明する。図６は、説明の都合上、発光管１及び発光管支持板１５、１６と、透光性スリーブ６及びスリーブ支持板１７、１８と、フレーム３と、金属線１２と固定点１２ａ、１２ｂのみを示し、それ以外の構成の図示を省略している。
【００３６】
発光管１の両端は、透光性スリーブ６より突出しており、発光管支持板１５、１６によって支持されている。透光性スリーブ６の両端は、帯状のスリーブ支持板１７、１８によって巻かれている。発光管支持板１５、１６は、スリーブ支持板１７、１８より軸線方向外側に配置されている。尚、軸線方向外側とは、発光管１の中央の円筒状部分１０１を中心として、それより両側に軸線方向に沿って離れる方向の位置を意味する。
【００３７】
金属線１２は透光性スリーブ６とフレーム３の外側に巻かれている。金属線１２の両端はフレーム３上の固定点１２ａ、１２ｂに溶接等により固定されている。固定点１２ａ、１２ｂは、少なくともスリーブ支持板１７、１８より軸線方向外側に配置されている。固定点１２ａ、１２ｂは、発光管支持板１５、１６より軸線方向外側に配置されてよい。
【００３８】
以下に、本実施形態による金属線１２の口金側の端部の係合機構を説明する。発光管支持板１５、１６の両端に突起１５ａ、１５ｂ及び１６ａ、１６ｂが、それぞれ形成されている。２つの発光管支持板１５、１６のうち、口金側の発光管支持板１５について説明する。他方の発光管支持板１６の構造は、口金側の発光管支持板１５の構造と同様であってよい。
【００３９】
発光管支持板１５の突起１５ａ、１５ｂは、フレーム３に溶接等により固定されている。突起１５ａ、１５ｂの形状及び構造は、特に限定されない。図示の例では、突起１５ａ、１５ｂは、発光管支持板１５の端部を延長した構造を有するが、発光管支持板１５の端部をフレーム３の周囲に巻き付けることによって形成してもよい。突起１５ａ、１５ｂは、発光管支持板１５の端部によって一体的に形成してよいが、別部材として構成しそれを接続してもよい。
【００４０】
スリーブ支持板１７、１８の直径方向両端に突起１７ａ、１７ｂ、及び、１８ａ、１８ｂが、それぞれ形成されている。２つのスリーブ支持板１７、１８のうち、口金側のスリーブ支持板１７について説明する。他方のスリーブ支持板１８の構造は、口金側のスリーブ支持板１７の構造と同様であってよい。
【００４１】
スリーブ支持板１７の突起１７ａ、１７ｂは、フレーム３に溶接等により固定されている。突起１７ａ、１７ｂの形状及び構造は、特に限定されない。図示の例では、突起１７ａ、１７ｂは、スリーブ支持板１７の端部を延長した構造を有するが、スリーブ支持板１７の端部をフレーム３の周囲に巻き付けることによって形成してもよい。突起１７ａ、１７ｂは、スリーブ支持板１７の端部によって一体的に形成してよいが、別部材として構成しそれを接続してもよい。
【００４２】
口金側の発光管支持板１５の２つの突起１５ａ、１５ｂのうち、金属線の固定点１２ｂが設けられるフレーム３に接続された突起１５ａは、金属線１２の口金側の端部を係合させるための係合機構として機能することができる。この場合には、発光管支持板１５の突起１５ａは、金属線１２の口金側の端部に係合するために、フレーム３の外側面よりも半径方向外方に突出している必要がある。
【００４３】
同様に、口金側のスリーブ支持板１７の２つの突起１７ａ、１７ｂのうち、金属線の固定点１２ｂが設けられるフレーム３に接続された突起１７ａは、金属線１２の口金側の端部を係合させるための係合機構として機能することができる。この場合には、スリーブ支持板１７の突起１７ａは、金属線１２の口金側の端部に係合するために、フレーム３の外側面よりも半径方向外方に突出している必要がある。
【００４４】
本実施形態によると、金属線１２の口金側の端部を係合させるための係合機構は、発光管支持板１５の突起１５ａとスリーブ支持板１７の突起１７ａの少なくとも一方によって構成される。例えば、例えば、発光管支持板１５の突起１５ａのみによって係合機構を構成する場合には、スリーブ支持板１７の突起１７ａは不要である。スリーブ支持板１７の突起１７ａのみによって係合機構を構成する場合には、発光管支持板１５の突起１５ａは不要である。
【００４５】
金属線１２の口金側の端部を、発光管支持板１５の突起１５ａ及びスリーブ支持板１７の突起１７ａに係合させる態様として、巻き付ける、引っ掛ける等の様々な方法が可能である。例えば、金属線１２の口金側の端部を、突起１５ａ及び突起１７ａの周囲に、半周又は一周以上巻き付けてもよい。突起１５ａ又は突起１７ａの縁に切欠き又は突起を形成し、そこに金属線１２の口金側の端部を係合させてもよい。
【００４６】
実線で示すように、金属線１２の口金側の端部は、スリーブ支持板１７の突起１７ａと発光管支持板１５の突起１５ａの間を通ってから、発光管支持板１５の突起１５ａに巻き付けられ、フレーム３の固定点１２ｂにて固定されてよい。
【００４７】
破線で示すように、金属線１２の口金側の端部は、スリーブ支持板１７の突起１７ａと発光管支持板１５の突起１５ａの間を通らずに、スリーブ支持板１７の突起１７ａの軸線方向内側を通ってから、発光管支持板１５の突起１５ａとスリーブ支持板１７の突起１７ａの一方に巻き付けられ、フレーム３の固定点１２ｂにて固定されてよい。
【００４８】
図７Ａを参照して、金属線の口金側の端部の係合構造の例を説明する。実線で示すように、金属線１２の口金側の端部は、フレーム３の外側面に接触しながら、フレーム３の上を跨るように延びている。金属線１２の口金側の端部は、フレーム３の外側面を横断するとき、口金側のスリーブ支持板１７の突起１７ａと口金側の発光管支持板１５の突起１５ａの間を通る。金属線１２の口金側の端部は、更に、発光管支持板１５の突起１５ａの周囲に沿って延び、再びフレーム３の外側面上に戻り、固定点１２ｂにて固定される。
【００４９】
即ち、金属線１２の口金側の端部は、発光管支持板１５の突起１５ａの周囲を半周だけ巻き付けられてから、固定点１２ｂにて固定される。ここで、金属線１２の口金側の端部は、発光管支持板１５の突起１５ａの周囲を一周以上巻き付けられてから、固定点１２ｂにて固定されてもよい。
【００５０】
尚、破線で示すように、金属線１２の口金側の端部を、口金側のスリーブ支持板１７の突起１７ａと口金側の発光管支持板１５の突起１５ａの間を通らせずに、スリーブ支持板１７の突起１７ａの軸線方向内側を通らせるように、巻いてもよい。
【００５１】
図７Ｂを参照して、金属線の口金側の端部の係合構造の他の例を説明する。本例では発光管支持板１５の突起１５ａの縁に切欠き１５ｃが形成されている。金属線１２の口金側の端部は、口金側のスリーブ支持板１７の突起１７ａと口金側の発光管支持板１５の突起１５ａの間を通るとき、発光管支持板１５の突起１５ａの縁の切欠き１５ｃに係合する。更に、本実施形態では、金属線１２の口金側の端部は、発光管支持板１５の突起１５ａの周囲に沿って延び、再びフレーム３の外側面上に戻ってから、フレーム３を螺旋状に少なくとも１回巻かれてから、フレーム３上の固定点１２ｂにて固定される。
【００５２】
尚、破線で示すように、金属線１２の口金側の端部を、口金側のスリーブ支持板１７の突起１７ａと口金側の発光管支持板１５の突起１５ａの間を通らせずに、スリーブ支持板１７の突起１７ａの軸線方向内側を通らせるように、巻いてもよい。この場合、スリーブ支持板１７の突起１７ａの縁に切欠き１７ｃが形成されてよい。金属線１２の口金側の端部は、スリーブ支持板１７の突起１７ａの縁の切欠き１７ｃに係合する。
【００５３】
図８Ａを参照して、金属線の口金側の端部の係合構造の他の例を説明する。本実施形態では、発光管支持板１５の突起１５ａは、その半径方向の寸法が短いため、金属線１２の口金側の端部を係合させるための係合構造として機能しない。スリーブ支持板１７の突起１７ａが係合構造として機能する。
【００５４】
金属線１２の口金側の端部は、フレーム３の外側面に接触しながら、フレーム３の上を跨るように延びている。金属線１２の口金側の端部は、フレーム３の外側面を横断し、スリーブ支持板１７の突起１７ａの周囲に沿って延び、再びフレーム３の外側面上に戻り、固定点１２ｂにて固定される。金属線１２の口金側の端部は発光管支持板１５の突起１５ａに係合しなくてよい。
【００５５】
図示の例では、金属線１２の口金側の端部は、スリーブ支持板１７の突起１７ａの周囲を半周だけ巻き付けられてから、固定点１２ｂにて固定される。しかしながら、金属線１２の口金側の端部は、スリーブ支持板１７の突起１７ａの周囲を一周以上巻き付けられてから、固定点１２ｂにて固定されてもよい。
【００５６】
スリーブ支持板１７の突起１７ａの縁に、図７Ｂの例のように、切欠き１７ｃを形成してもよい。
【００５７】
図示の例では、スリーブ支持板１７の突起１７ａは、金属線１２の口金側の端部が固定端１２ｂに延びる方向に向かって、フレーム３の向こう側に設けられている。しかしながら、スリーブ支持板１７の突起１７ａは、金属線１２の口金側の端部が固定端１２ｂに延びる方向に向かって、フレーム３の手前側に設けられてもよい。この場合には、金属線１２の口金側の端部は、フレーム３の外側面を横断することなく、スリーブ支持板１７の突起１７ａの周囲に沿って延び、再びフレーム３の外側面上に戻り、固定点１２ｂにて固定される。
【００５８】
図８Ｂを参照して、金属線の口金側の端部の係合構造の他の例を説明する。本実施形態では、スリーブ支持板１７の突起１７ａは、その半径方向の寸法が短いため、金属線１２の口金側の端部を係合させるための係合構造として機能しない。発光管支持板１５の突起１５ａが係合構造として機能する。
【００５９】
金属線１２の口金側の端部は、フレーム３の外側面に接触しながら、フレーム３の上を跨るように延びている。金属線１２の口金側の端部は、フレーム３の外側面を横断し、発光管支持板１５の突起１５ａの周囲に沿って延び、再びフレーム３の外側面上に戻ってから、フレーム３を螺旋状に少なくとも１回巻かれてから、フレーム３上の固定点１２ｂにて固定される。金属線１２の口金側の端部はスリーブ支持板１７の突起１７ａに係合しなくてよい。
【００６０】
図示の例では、金属線１２の口金側の端部は、発光管支持板１５の突起１５ａの周囲を半周だけ巻き付けられてから、固定点１２ｂにて固定される。しかしながら、金属線１２の口金側の端部は、発光管支持板１５の突起１５ａの周囲を一周以上巻き付けられてから、固定点１２ｂにて固定されてもよい。
【００６１】
発光管支持板１５の突起１５ａの縁に、図７Ｂの例のように、切欠き１５ｃを形成してもよい。
【００６２】
図示の例では、発光管支持板１５の突起１５ａは、金属線１２の口金側の端部が固定端１２ｂに延びる方向に向かって、フレーム３の向こう側に設けられている。しかしながら、発光管支持板１５の突起１５ａは、金属線１２の口金側の端部が固定端１２ｂに延びる方向に向かって、フレーム３の手前側に設けられてもよい。この場合には、金属線１２の口金側の端部は、フレーム３の外側面を横断することなく、発光管支持板１５の突起１５ａの周囲に沿って延び、再びフレーム３の外側面上に戻り、固定点１２ｂにて固定される。
【００６３】
次に、本実施形態の機能を説明する。従来の高圧放電ランプの外管保護機構では、金属線１２は、給電線保護スリーブ２１、透光性スリーブ６及びフレーム３の外側面に沿って、螺旋状に巻かれている。その場合、給電線保護スリーブ２１が割れると、金属線１２が緩み、始動装置の導電体に接触する可能性がある。
【００６４】
そこで、本実施形態では、金属線１２は、給電線保護スリーブ２１の内側にて、透光性スリーブ６及びフレーム３の外側面に沿って、螺旋状に巻かれている。そのため、給電線保護スリーブ２１が割れても、金属線１２が緩むことはない。
【００６５】
本実施形態では、金属線１２の口金側の端部を、発光管支持板１５の突起１５ａとスリーブ支持板１７の突起１７ａの少なくとも一方に係合させてから、固定点１２ｂにて固定する。金属線１２の口金側の端部を、口金側のスリーブ支持板１７の突起１７ａと口金側の発光管支持板１５の突起１５ａの間を通り、発光管支持板１５の突起１５ａに巻き付けてから、フレーム３の固定点１２ｂに固定してよい。そのため、金属線１２が始動装置の導電体に接触する可能性が少なくなる。
【００６６】
以上、本実施形態に係る高圧放電ランプの外管保護構造について説明したが、これらは例示であって、本発明の範囲を制限するものではない。当業者が、本実施形態に対して容易になしえる追加・削除・変更・改良等は、本発明の範囲内である。本発明の技術的範囲は、添付の特許請求の記載によって定められる。
【符号の説明】
【００６７】
１…発光管、１ａ、１ｂ…電極、２…ステム、３…フレーム、４…支持柱、５ａ、５ｂ…支持板、６…透光性スリーブ、７…透光性外管、８…口金、１０…口金側リード線、１２…金属線、１２ａ、１２ｂ…固定点、１４ａ、１４ｂ…ニッケル線、１５、１６…発光管支持板、１７、１８…スリーブ支持板、２０…給電線、２１…給電線保護スリーブ、２２…バイメタルユニット、２５…始動器、２６、２７…炭素被膜固定抵抗、２９…ゲッタ、３０…遮熱板、３１、３２…マウント支持板
【図１】
2014067663.tif 000003
【図２】
2014067663.tif 000004
【図３Ａ】
2014067663.tif 000005
【図３Ｂ】
2014067663.tif 000006
【図４】
2014067663.tif 000007
【図５】
2014067663.tif 000008
【図６】
2014067663.tif 000009
【図７Ａ】
2014067663.tif 000010
【図７Ｂ】
2014067663.tif 000011
【図８Ａ】
2014067663.tif 000012
【図８Ｂ】
2014067663.tif 000013